(57)【特許請求の範囲】
【請求項１】
液体を入れた栽培槽と、
該栽培槽内の液面に浮かべる植物植設パネルと、
前記植物植設パネルを浸漬位置に保持する保持手段と、
少なくとも液面位置から浸漬位置に前記植物植設パネルを相対的に移動させる移動手段と、該移動手段の動作を制御する制御手段と、
前記制御手段が、浸漬処理の開始・停止および／または浸漬条件を入力するための外部入力部とを備える植物浸漬装置において、
前記植物植設パネルが、前記栽培層の液面全体を覆うものであって、切欠きおよび貫通穴の少なくとも一方を有し、
前記の切欠きおよび貫通穴の開口部に、前記植物植設パネルの相対的移動の際に液体の流通が可能となる蓋部材を設け、
液面位置から浸漬位置への相対的移動の際に前記植物植設パネルが液体から受ける抵抗を小さくした植物浸漬装置。
【請求項２】
前記浸漬条件が、浸漬時間、浸漬間隔、浸漬時刻の少なくとも１つであり、
前記外部入力部が、設定されている浸漬処理と浸漬処理との間で浸漬処理を追加実行させる浸漬追加入力部、および設定されている次の浸漬処理を不実行とする浸漬飛ばし入力部の少なくとも一方をさらに備えている請求項１記載の植物浸漬装置。
【発明の詳細な説明】
【０００１】
【発明の属する技術分野】
本発明は、植物を植設パネルに植設して培養液により栽培を行う植物水耕栽培に用いる装置に関し、より詳細には植設パネルを液中に所定時間浸漬して害虫を駆除する植物浸漬装置に関するものである。
【０００２】
【従来の技術】
栽培槽中の培養液に植物の根を浸漬させて養分の吸収を行わせる水耕栽培では、除草剤や土壌改良剤などの農薬は不要となるが、アブラ虫やアオ虫、ヨトウ虫、コナガ虫などの害虫を駆除するための殺虫剤や防虫剤などの農薬は依然として用いる必要があった。このため、これら使用した農薬が収穫物に残留する問題があった。
【０００３】
前記害虫は、体表に開く気門から酸素を組織内に取り込み、二酸化炭素を気門から外部へ排出する、いわゆる気管呼吸を行っている。このため、これら害虫は長時間液体中に浸かると気門からのガス交換ができなくなって死滅する。死滅に要する時間はおおよそアブラ虫で３〜４時間、アオ虫で０．５〜２時間である。
【０００４】
この特性を利用して、害虫の付着している植物を所要濃度に調整された溶液中に所定時間浸漬することにより、植物にダメージを与えることなく害虫を死滅させる植物の害虫駆除方法およびそのための植物浸漬装置が提案されている（特開平１１−４２０３８号および特開２０００−２１７４５０号）。
【０００５】
【発明が解決しようとする課題】
しかしながら、特開平１１−４２０３８号で開示されている植物浸漬装置では、植設パネルを手動で浸漬しているため、植設パネルの浸漬処理に多大な労力が必要となる。
【０００６】
また特開２０００−２１７４５０号で開示されている一つの植物浸漬装置では、栽培槽とは別に貯槽を設け、栽培槽から貯槽に培養液を移し替えて液面を低下させて植物植設パネルを浸漬位置に降下させる方法を用いているが、貯槽を別に設けなけばならないため装置が大型化する問題がある。また、開示されている他の植物浸漬装置では、植物植設パネルに空室を設け、その空室に液体を給排することにより植物植設パネルを昇降させているが、このような装置では植物植設パネルに水密性を有する空室を設けなければならず複雑な構造となる問題がある。
【０００７】
本発明はこのような従来の問題に鑑みてなされたものであり、植物植設パネルの浸漬処理を容易且つ確実に行える植物浸漬装置を提供することをその目的とするものである。
【０００８】
また本発明の目的は、所望の浸漬条件を設定でき且つそれらを自動的に実行できる装置を提供することにある。
【０００９】
さらに本発明の目的は、植物の害虫の発生状態を確認しながら適切な時期に浸漬処理を行うことができることにある。
【００１０】
そしてまた本発明の目的は、植物植設パネルが移動する時の液体から受ける抵抗を小さくすると同時に、栽培槽内の藻などの発生を抑えることにある。
【００１１】
【課題を解決するための手段】
本発明によれば、液体を入れた栽培槽と、該栽培槽内の液面に浮かべる植物植設パネルと、前記植物植設パネルを浸漬位置に保持する保持手段と、少なくとも液面位置から浸漬位置に前記植物植設パネルを相対的に移動させる移動手段と、該移動手段の動作を制御する制御手段と、前記制御手段が、浸漬処理の開始・停止および／または浸漬条件を入力するための外部入力部を備える植物浸漬装置において、前記植物植設パネルが、前記栽培層の液面全体を覆うものであって、切欠きおよび貫通穴の少なくとも一方を有し、前記の切欠きおよび貫通穴の開口部に、前記植物植設パネルの相対的移動の際に液体の流通が可能となる蓋部材を設け、液面位置から浸漬位置への相対的移動の際に前記植物植設パネルが液体から受ける抵抗を小さくしたことを特徴とする植物浸漬装置が提供される。
【００１２】
また植物や害虫の種類、気候などを考慮し害虫駆除を効果的に行う観点から、浸漬条件を入力するための外部入力部を制御手段に設けてもよい。ここで浸漬条件としては、浸漬時間、浸漬間隔、浸漬時刻の少なくとも１つであるのがよい。また、植物の生育状況や害虫発生状況は日々変化するので、その変化に臨機応変に対応する観点から、設定されている浸漬処理と浸漬処理との間で浸漬処理を追加実行させる浸漬追加入力部、および設定されている次の浸漬処理を不実行とする浸漬飛ばし入力部の少なくとも一方を外部入力部にさらに設けるのが好ましい。
【００１６】
【発明の実施の形態】
本発明者等は、植物についた害虫を浸漬処理により駆除する装置において、浸漬処理をより容易且つ確実に行うことができないか鋭意検討を重ねた結果、植物植設パネルを浸漬位置に相対的に移動させる移動手段と、それを制御する制御手段を設ければ足りることを見出し本発明をなすに至った。
【００１７】
図１に、本発明の植物浸漬装置の一例を示す縦断面図を示す。水耕栽培用の栽培槽１は上部を開放した箱型で、その中に培養液２が８分目程度満たされている。そして、矩形板状の植物植設パネル３が培養液２の液面に浮かべられる。植物植設パネル３は発泡スチロールなどの比重が培養液より小さい材料からなるもの、あるいは中空であって栽培槽１内の培養液２の浮力により浮くものであればよい。植物植設パネル３には複数の植設穴４が穿設され、植物Ｐの基部を保持したスポンジ状の保持材６をこの植設穴４に挿入し、植物Ｐの根を植物植設パネル３の下の培養液２中に浸漬させる。なお、図３に示すように、植物Ｐの基部を保持している保持材６が植設穴４から簡単に抜けないように植設穴４の内壁に周状突起５を設けてもよい。
【００１８】
栽培槽１の一方側面には機械室７が付設されている。機械室７は栽培槽１の高さ付近で上下に別れ、上側の第１機械室７ａと下側の第２機械室７ｂとからなる。第１機械室７ａは、液面位置から浸漬位置に植物植設パネル３を移動させるためのモーター１１（移動手段）、底面が開口したカバー８およびカバー８の上面に設けられた操作パネル（外部入力部）１０２などで構成される。一方、第２機械室７ｂには制御部１０１が配設されている。
【００１９】
第１機械室７ａに設けたモーター１１は、モーター軸に装着したウォーム１２ａとウォームホイール１２ｂとからなるウォームギヤ１２などを介して回転を減速させながら昇降軸１３を回転させる。なお、モーター１１は直流モーターで正逆転可能である。昇降軸１３にはワイヤー１４、１４’の一方端が固定されている。ワイヤー１４，１４’は、昇降軸１３から栽培槽１の底面まで垂下し、栽培槽１の底端部に設けられた滑車１５により底面に沿って進み、一本のワイヤー１４は滑車１５’により上方に進み、もう一本のワイヤー１４’も底面に沿ってさらに進んだ後、滑車１５”により上方に進み、植物植設パネル３の底面にワイヤー端部がそれぞれ固定される。
【００２０】
植物植設パネル３の機械室側の端部には位置検出手段１６ａが設けてあり、これと対をなす位置検出手段１６ｂは、植物植設パネル３が液面位置から浸漬位置に移動したときに、位置検出手段１６ａと対向するように第２機械室７ｂに設けられている。位置検出手段としては特に限定はないが、例えば磁気結合などにより位置検知するものが例示できる。
【００２１】
制御部１０１は操作パネル１０２から入力される浸漬条件によりモーター１１を制御して植物植設パネル３を移動させて浸漬処理を行う。図４に、本発明の植物植設装置のブロック図の一例を示す。操作パネル１０２から入力された浸漬条件や浸漬処理の開始・停止の信号は制御部１０１に送られ、これらの条件に従って制御部１０１はモーター１１を制御する。また同時に浸漬処理開始の信号が制御部１０１に送られると、浸漬時間や浸漬間隔を計時するためのタイマーＴが作動し始める。
【００２２】
操作パネル１０２には、浸漬処理の開始・停止や浸漬時間などの浸漬条件を使用者が設定するためのスイッチや設定ボタン、及び設定された浸漬条件などを表示する表示部を設ける。図５に、操作パネルの一例を示す。この操作パネル１０２には、スタート／リセットボタン３０と、浸漬時間を表示する浸漬時間表示部３１と、浸漬時間を設定する時間設定ボタン３２と、浸漬処理中を表示する表示ランプ３３とが設けられている。時間設定ボタン３２を操作して所望の浸漬時間を設定できる。なお、発明者等の実験によれば、浸漬処理を毎日繰り返して行うと、５〜１０分という短い浸漬時間でも害虫駆除効果が得られることがわかったので、害虫の死滅に必要と言われている時間（アブラ虫で３〜４時間、アオ虫で０．５〜２時間）まで必ずしも浸漬する必要はない。
【００２３】
つぎにこのような構成の植物浸漬装置における浸漬処理の動作について述べる。植物Ｐに害虫が発生した場合、あるいは害虫の発生を予防したい場合に、使用者は先ず操作パネル１０２で浸漬時間の設定を行う。具体的には図５において、時間設定ボタン３２を操作して浸漬時間を入力する（図５の実施例では５０分に設定）。次にスタート／リセットボタン３０を押すと、制御手段のタイマーＴが計時を始めるとともに表示ランプ３３を点灯させ、同時にモーター１１に直流電圧を印加し昇降軸１３を回転させてワイヤー１４を巻き上げさせる。これにより、植物植設パネル３は液面位置から浸漬位置に移動する。植物植設パネル３が浸漬位置に達すると、位置検出手段１６ａ，１６ｂが対向位置に達し、その信号が制御部１０１に送られ、モーター１１の回転を停止させる。図２に、植物植設パネル３が浸漬位置に移動したときの縦断面図を示す。この状態では植物Ｐは培養液２の中に完全に浸漬している。
【００２４】
浸漬位置では、培養液２の浮力を受けて植物植設パネル３が浮上しようとするため昇降軸１３に逆回転のトルクがかかるが、ウォームギヤ１２を介しているため昇降軸１３は逆回転できず、植物植設パネル３は浸漬位置に保持される。
【００２５】
そして、設定した浸漬時間が経過すると、制御部１０１はモーター１１に前とは逆の電圧を印加し昇降軸１３を逆回転させてワイヤー１４を巻き戻し、植物植設パネル３はその浮力により浸漬位置から液面位置に移動する。植物植設パネル３が液面位置に達するとモーター１１の回転を停止し、表示ランプ３３は消灯し、浸漬処理が終了したことを示す。植物植設パネル３が液面位置に達したことを検知する方法としては、例えば浸漬位置から液面位置までの距離からモーターの駆動時間を算出してモーターを制御する方法、あるいは植物植設パネル３を液面位置から浸漬位置まで移動させたときのモーター回転数を記憶させておき、浸漬位置から液面位置に移動させるときはその記憶したモーター回転数だけモーターを逆回転させる方法などが挙げられる。なお、図６に示すように、誤差や液量減少などによりワイヤーが弛むことがあるので、栽培槽の底面などにバネＳを用いてワイヤー１４の弛みを吸収するようにするのが望ましい。
【００２６】
浸漬処理中に植物植設パネル３を強制的に液面位置に戻したいときには、スタート／リセットボタン３０を再度押せばよい。これにより浸漬処理の終了時と同様にモーター１１が逆回転して植物植設パネル３は浸漬位置から液面位置に移動する。なお、一般的な植物に対応できる浸漬時間を制御部１０１に記憶させておく場合には、浸漬処理時にはスタート／リセットボタン３０を押すだけでよくなり操作がより簡単になる。また、昇降軸１３の回転速度を充分に遅くする等して植物植設パネル３の移動時間を長くすれば、浸漬時間をゼロとしても害虫駆除効果が実質的に得られることがある。
【００２７】
栽培槽１に浮かべる植物植設パネル３の大きさは、移動時に栽培槽１の周壁と擦れて移動に支障が生じない範囲において、平面視できるだけ培養液２の液面を覆う大きさが望ましい。これは太陽光の照射により藻などの不純物が培養液２内に発生するのを抑制するためである。しかし、植物植設パネル３を単に大きくしただけでは移動させる時に培養液２から受ける抵抗が大きくなり、移動手段の負荷が大きくなり移動手段の大型化、延いては装置のコストアップにつながる。そこで、培養液３から受ける抵抗を小さくするために、植物植設パネルに切欠きや貫通孔を形成するのがよい。加えて、培養液への太陽光の照射を遮るために、切欠きおよび貫通穴の開口部に蓋部材を設けるのが好ましい。
【００２８】
図７に、植物植設パネル３の一例を示す平面図を示す。図７は植物植設パネル３を栽培槽１に浮かべた状態図である。植物植設パネル３の４隅に面取り部（切欠き）１７を形成し、さらに植物植設パネル３の中央から左右対称に上下２つの貫通穴１９を形成してある。面取り１７の部分にはゴム材料からなる弾性シート（蓋部材）１８を取り付け、貫通穴１９にはキャップ（蓋部材）２０を取り付けてある。図７のＡ−Ａ線断面図を図８、Ｂ−Ｂ線断面図を図９に示す。図８において、面取り部１７の上は、植物植設パネル３に端部が貼着された弾性シート１８により覆われている。このため太陽光は培養液２の液面には届かない。一方、植物植設パネル３を液面位置から浸漬位置に移動させるときには、弾性シート１８は培養液２の抵抗を受けて移動方向下流側に反り（図中、破線で示す）、栽培槽１の周壁との間に培養液２が流通できる空間が形成される。このため植物植設パネル３を移動するときに生じる培養液２による抵抗は大幅に軽減される。
【００２９】
また図９において、貫通穴１９にキャップ２０を挿入している。キャップ２０は、貫通穴１９を塞ぐ円盤部２０ａと、円盤部２０ａから垂下した、貫通穴に緩装される複数本の脚２０ｂとからなる。脚２０ｂの下部には、貫通穴１９に挿入したときに、キャップ２０が抜けないように半径方向外方に突出する係止部２０ｃが形成され、またキャップ２０が貫通穴１９を軸方向に移動可能となるように、脚２０ｂの長さは植物植設パネル３の厚さより長くしてある。このような構成のキャップ２０によれば、植物植設パネル３が浮いているときは貫通穴１９の開口部はキャップ２０の円盤部２０ａで塞がれており（図９（ａ））、太陽光は培養液２の液面には届かない。一方、植物植設パネル３を液面位置から浸漬位置に移動させるときには、培養液２の抵抗を受けてキャップ２０は係止部２０ｃで植物植設パネル３に係止した状態となる（同図（ｂ））。このとき、脚２０ｂと脚２０ｂの間の空間が液体流通路となり、植物植設パネル３を移動させるときに生じる培養液による抵抗が大幅に軽減される。なおキャップ２０の材質はポリエチレンやポリプロピレンなどの比重の小さい樹脂が好適である。
【００３０】
切欠き１７や貫通穴１９の大きさや数については、植物植設パネル３の材質や大きさ、形状などから、液体から受ける抵抗を減少させるように適宜決定すればよく、また蓋部材としては切欠きおよび貫通穴の大きさや形状に合わせてその形状を成形すればよく、２種類以上の蓋部材を組み合わせて用いてももちろん構わない。
【００３１】
なお、前記の実施態様では植物植設パネル３を液面位置と浸漬位置との間を移動させる構造となっていたが、反対に植物植設パネル３を固定した状態で、栽培槽１を移動させて、植物植設パネル３を液面位置と浸漬位置にするような構造であってももちろん構わない。また、本発明で使用する移動手段は、植物植設パネル３を少なくとも液面位置から浸漬位置に移動させるものであればよく、浸漬位置から液面位置への移動は植物植設パネル３の浮力を利用するのが装置構造やエネルギー効率の観点望ましい。
【００３２】
次に、本発明の植物植設装置の他の実施態様を説明する。図１０に、ウォームギヤを用いない場合の例を示す。なおギヤ部以外は前記実施態様例と同じであるから説明を省略する。
【００３３】
図１０の装置では、モーター１１の回転を何段階かの平歯車の組合せで減速している。昇降軸１３と同一軸で回転する最終段の歯車２１には、昇降軸１３とは反対側の側面に係合突起２２を設けている。そして歯車２１の昇降軸１３とは反対側の離隔位置にソレノイド２３を設けている。ソレノイド２３は歯車２１の軸方向に往復動するプランジャー２４を備えており、ソレノイド２３に通電するとプランジャー２４は歯車２１から遠ざかる方向に後退し、ソレノイド２３に通電しないとプランジャー２４は歯車２１に近づく方向に進出する。プランジャー２４が後退した位置では、歯車２１の係合突起２２とプランジャー２４とは係合しない一方、プランジャー２４が進出した位置では、係合突起２２とプランジャー２４が係合して歯車２１は回転不能となる。
【００３４】
浸漬処理における動作としては、先ず初期状態では、モーター１１及びソレノイド２３には通電されていないのでプランジャー２４は進出した位置にある。次に、植物植設パネル３を浸漬するために、スタート／リセットボタンが押されるとソレノイド２３に通電されてプランジャー２４が後退するとともにモーター１１が回転する。これにより昇降軸１３が回転してワイヤー１４、１４’を巻き上げ植物植設パネル３を浸漬させる。植物植設パネル３が浸漬位置に移動すると検知手段１６ａ，１６ｂから信号が発せられモーター１１がストップする。このとき同時にソレノイド２３も無通電となってプランジャー２４が係合突起２２と係合する位置に進出する。このため植物植設パネル３が浮力により浮上しようとしてもプランジャー２４と係合突起２２の係合により昇降軸１３の回転が阻止されるため、植物植設パネル３は浸漬位置に保持されることになる。そして所定の浸漬時間が経過すると、ソレノイド２３に再び通電されプランジャー２４が後退し歯車２１が逆回転可能となるので、植物植設パネル３は浮力により浮上可能となる。なお、この実施態様例ではソレノイド２３と係合突起２２とが保持手段となる。
【００３５】
本発明の植物植設装置のさらに他の実施態様を説明する。図１１に、外部入力部の一例である操作パネルを示す。この操作パネル１０２は、浸漬時間表示部４１、浸漬間隔時間表示部４２、浸漬時間選択ボタン４３、浸漬間隔選択ボタン４４、時間設定ボタン４５、スタート／リセットボタン４６、電源表示ランプ４７、浸漬追加ボタン（浸漬追加入力部）４８、スキップボタン（浸漬飛ばし入力部）４９を備える。通常、浸漬処理は１日に１回行えばよいので、制御部１０１に２４時間サイクルの間隔で浸漬処理を実行するプログラムを組み入れておけば浸漬処理の実行忘れを防止できる。しかしながら浸漬間隔の設定機能を設けることにより、例えば害虫が発生し易い時期には１２時間毎に浸漬処理を行うといった、害虫の発生を未然に防ぐきめ細かい害虫対策ができるようになる。
【００３６】
具体的な入力方法としては、先ず浸漬時間選択ボタン４３を押すと浸漬時間表示部４１の数字が点滅するので、時間設定ボタン４５を押して浸漬時間を設定する。浸漬時間選択ボタン４３を再度押すと、数字が点滅から点灯に変わり浸漬時間が確定する。浸漬間隔についても同様に、浸漬間隔選択ボタン４４及び時間設定ボタン４５を操作して設定する。図１１では浸漬時間を５０分、浸漬間隔を２４時間に設定してある。次に、スタート／リセットボタン４６を押すと制御部１０１は計時を始めるとともに電源表示ランプ４７が点灯し、同時に植物植設パネル３が液面位置から浸漬位置に移動する。そして所定浸漬時間（５０分）が経過した後、植物植設パネル３は浸漬位置から液面位置に移動する。この浸漬処理が所定間隔（２４時間）毎に実施される。なお、浸漬処理中にスタート／リセットボタン４６を再度押すと、電源表示ランプ４７が消え植物植設パネル３は浸漬位置から液面位置に移動し初期の状態に戻る。
【００３７】
また植物への害虫の付着状態により浸漬処理を１回追加したいときには、浸漬追加ボタン４８を押せばよく、そうすると設定されている浸漬時間、浸漬間隔は維持しながら浸漬処理が追加して行われる。このときの浸漬時間は浸漬時間表示部に示されている時間（図１１では５０分）でもよいし、浸漬追加ボタン４８を再度押すことにより浸漬処理を終了するようにしてもよい。後者のようにしておくと、浸漬時間を任意にすることができ、また浸漬処理の動作確認などにも利用することができる。
【００３８】
一方、植物への害虫の付着状況により浸漬回数を減らしたいときには、スキップボタン４９を押せばよく、そうすると設定されている浸漬時間、浸漬間隔は維持しながら次の浸漬処理のみ不実行とする。このように設定されている浸漬処理を適宜追加・飛ばしできれば、害虫の発生状況に合わせて試行錯誤的な対応が簡単にできるようになる。また元の設定条件は維持されているので再設定する手間がかからない。
【００３９】
本発明の植物植設装置のさらに他の実施態様を説明する。図１２に、外部入力部の一例である操作パネルを示す。この操作パネルは、図１１の操作パネルの浸漬間隔の設定を現在時刻と浸漬時刻とに代えたものである。具体的な操作方法を説明する。この操作パネルは、現在時刻表示部５１、浸漬時刻表示部５２、浸漬時間表示部５３、現在時刻選択ボタン５４、浸漬時刻選択ボタン５５、浸漬時間選択ボタン５６及び設定ボタン５７、スタート／リセットボタン５８、電源表示ランプ５９を備える。そして、選択ボタン５４，５５，５６及び設定ボタン５７を用いて、現在時刻合わせ、浸漬開始時刻の入力、および浸漬時間の入力を行う。これらの浸漬条件の設定が完了すると、スタート／リセットボタン５８を押す。すると電源表示ランプ５９が点灯し、植物植設パネル３は設定された浸漬時刻になると液面位置から浸漬位置に移動し、設定された浸漬時間が経過すると再び液面位置に浮上する。このような浸漬処理が毎日繰り返される。図１１の操作パネルの装置では浸漬開始時間はスタート／リセットボタン４６を押したときであったが、この操作パネルの装置では浸漬開始時間を任意に設定できるのでさらに利便性が向上する。なお、浸漬処理中にスタート／リセットボタン５８が押されると、浸漬処理は中止され、植物植設パネル３は液面位置に浮上し電源表示ランプ５９は消灯し初期の状態に戻る。
【００４０】
図１２の操作パネルの装置において、図１１の操作パネルと同じように浸漬追加ボタン４８やスキップボタン４９を設けてももちろん構わない。また、浸漬時刻設定を複数個できるようにすれば、１日に複数回浸漬処理させることも可能となり、一層きめこまかな害虫駆除処理ができるようになる。
【００４１】
【発明の効果】
本発明の植物浸漬装置では、少なくとも液面位置から浸漬位置に植物植設パネルを相対的に移動させる移動手段と、それを制御する制御手段とを備えるので、植物植設パネルの浸漬処理を容易且つ確実に行える。また、植物植設パネルを浸漬位置に保持する保持手段をさらに設けているので、浸漬処理をより安全・確実に行うことができる。また、浸漬処理の開始・停止を入力するための外部入力部を制御手段にさらに設けているので、植物や害虫の種類、気候などを考慮した効果的な害虫駆除を適宜行うことができる。さらに、植物植設パネルを栽培層の液面全体を覆い、切欠きおよび貫通穴の少なくとも一方を備えているので、栽培槽内の藻などの発生を抑えると同時に植物植設パネルが移動する時の液体から受ける抵抗を小さくすることができ、移動手段にかかる負荷を軽減できる。また、切欠きおよび貫通穴に、植物植設パネルの相対的移動の際に液体の流通が可能となる蓋部材を設けているので、移動時の液体抵抗を小さく維持したまま藻などの発生を一層抑えることができる。
【００４２】
また、浸漬時間、浸漬間隔、浸漬時刻といった浸漬条件を入力するための外部入力部を制御手段にさらに設ければ、植物や害虫の種類、気候などを考慮した一層きめこまかな効果的な害虫駆除を適宜行うことができる。さらに、設定されている浸漬処理と浸漬処理との間に浸漬処理を追加実行させる浸漬追加入力部、あるいは設定されている次の浸漬処理を不実行とする浸漬飛ばし入力部を外部入力部にさらに設ければ、日々変化する植物の生育状況や害虫発生状況に合わせて臨機応変に対応できる。
【図面の簡単な説明】
【図１】  本発明の植物浸漬装置の一例を示す縦断面図である。
【図２】  植物植設パネルが浸漬位置に移動したときの縦断面図である。
【図３】  植設穴の内壁に設ける周状突起の例を示す部分断面図である。
【図４】  本発明の植物浸漬装置の一例を示すブロック図である。
【図５】  操作パネル部の拡大平面図である。
【図６】  ワイヤーの弛みを吸収するための構成図である。
【図７】  本発明の用いる植物植設パネルの一例を示す平面図である。
【図８】  図７のＡ−Ａ断面図である。
【図９】  図７のＢ−Ｂ断面図である。
【図１０】本発明で使用する移動手段の一例を示す縦断面図である。
【図１１】本発明で使用する操作パネルの一例を示す平面図である。
【図１２】本発明で使用する操作パネルの他の例を示す平面図である。
【符号の説明】
１  栽培槽
２  培養液
３  植物植設パネル
１０  制御手段
１１  モーター（移動手段）
１７  切欠き
１８  弾性シート（蓋部材）
１９  貫通穴
２０  キャップ（蓋部材）
１０２  操作パネル（外部入力部）
【図１】
0003686959.tif 000002
【図２】
0003686959.tif 000003
【図３】
0003686959.tif 000004
【図４】
0003686959.tif 000005
【図５】
0003686959.tif 000006
【図６】
0003686959.tif 000007
【図７】
0003686959.tif 000008
【図８】
0003686959.tif 000009
【図９】
0003686959.tif 000010
【図１０】
0003686959.tif 000011
【図１１】
0003686959.tif 000012
【図１２】
0003686959.tif 000013